(57)【要約】【課題】例えばＥＮＧレンズのレンズ鏡胴にフォーカス操作リングを備えたフォーカス操作装置を装着することによって、電気的ＭＦでのフォーカス操作を可能にし、ＭＦとＡＦとを併用する場合にクラッチの切り替えなくＭＦとＡＦとの切替えを可能にすると共に、カメラマンが使い慣れたフォーカス操作リングでのＭＦの操作を可能にする。【解決手段】本発明に係るフォーカス操作装置１６は、ＥＮＧレンズ１２のレンズ鏡胴の前側に装着される。フォーカス操作装置１６にはフォーカス操作リング５２が設けられており、フォーカス操作リング５２の操作を電気的に検出してドライブユニット１４を介して手動用のフォーカス操作リング４０をモータにより駆動する。【選択図】      図２
2005250277.tif 000002
【特許請求の範囲】
【請求項１】
撮影レンズのレンズ鏡胴に着脱可能に装着されると共に、前記撮影レンズのフォーカスレンズをモータで駆動する駆動装置に対して、前記フォーカスレンズの設定すべき目標位置を指示するフォーカス操作装置であって、
前記撮影レンズのレンズ鏡胴の外周部に回動可能に配置されるフォーカス操作リングと、
前記フォーカス操作リングの回動位置を検出する位置検出手段と、
前記位置検出手段によって検出された回動位置に基づいて前記フォーカスレンズの目標位置を示す信号を前記駆動装置に出力する信号出力手段と、
を備えたことを特徴とするフォーカス操作装置。
【請求項２】
前記駆動装置は、前記フォーカスレンズを合焦位置に自動で設定するオートフォーカス手段を備え、前記フォーカス操作装置は、前記信号出力手段により出力した信号で示した目標位置に前記フォーカスレンズを設定するマニュアルフォーカスの制御から、前記オートフォーカス手段により合焦位置に自動で前記フォーカスレンズを設定するオートフォーカスの制御への切替えを前記駆動装置に指示する指示手段を備えたことを特徴とする請求項１のフォーカス操作装置。
【請求項３】
前記駆動装置は、前記オートフォーカス手段によるオートフォーカスの制御において前記フォーカスレンズを合焦位置に設定すると、前記マニュアルフォーカスの制御に切り替えることを特徴とする請求項２のフォーカス操作装置。
【発明の詳細な説明】
【技術分野】
【０００１】
本発明はフォーカス操作装置に係り、特に電動によるマニュアルフォーカスの操作を行うためのフォーカス操作装置に関する。
【背景技術】
【０００２】
テレビカメラで使用される撮影レンズのタイプとして、主にハンディカメラ（ＥＮＧカメラ）で使用されるＥＮＧレンズが知られている。ＥＮＧレンズは、レンズ鏡胴にフォーカス、ズーム、アイリス等の操作リングが設けられており、各操作リングを回動操作することによってレンズ操作を手動で行うことができるようになっている。また、ＥＮＧレンズのレンズ鏡胴にはドライブユニットが標準的に装着されており、ドライブユニットに搭載されたモータで各操作リングを回動させることによってレンズ操作を電動でも行えるようになっている。ドライブユニットの各モータと各操作リングとを連結する機構には例えばクラッチが設けられており、ドライブユニットの手動／電動切替スイッチで手動を選択すると、クラッチがオフとなって手動操作が可能となり、電動を選択すると、クラッチがオンとなって電動操作が可能となる。
【０００３】
このようなＥＮＧレンズを使用する場合においてフォーカス操作を電動で行うのは、主にスタジオ等でカメラをカメラペデスタル（架台）に設置して使用する場合である。この場合には、フォーカス操作部材を備えたフォーカスデマンドと呼ばれるフォーカス操作装置が架台のパン／チルト棒に取り付けられ、フォーカス操作装置とドライブユニットとがケーブルで接続される。このとき、フォーカス操作装置では、フォーカス操作部材の操作に基づいてフォーカスの目標位置が定められ、その目標位置を示す信号がドライブユニットに送信される。ドライブユニットでは、フォーカスがフォーカス操作装置から与えられた目標位置となるようにフォーカス用の操作リング（フォーカス操作リング）がモータにより駆動される。これにより、フォーカス操作部材のマニュアル操作に従ってフォーカス操作が電動で行われる。
【０００４】
また、近年では、テレビカメラでもオートフォーカス（ＡＦ）の実用性が高まっているが、現状のテレビ放送の撮影では、個人での撮影と異なり、ＡＦのみでフォーカス調整を行うことは少なく、マニュアルフォーカス（ＭＦ）と併用してＡＦを使用することが多い。また、ＡＦが全く使用されないことも多い。尚、特許文献１には、ＡＦ中にＭＦの操作を行うと、ＭＦの操作に従ってフォーカス調整を行えるようにしたものが提案されている。
【特許文献１】特開平８−２９６６５号公報
【発明の開示】
【発明が解決しようとする課題】
【０００５】
ところで、ＭＦとＡＦとを撮影中に切り替えて併用したい場合、ＭＦは手動よりも電動の方が有利である。尚、電動でのＭＦを電気的ＭＦという。即ち、電気的ＭＦとＡＦとを切り替える場合には、いずれもモータでフォーカスが駆動され、ＭＦとＡＦとを切り替える際に上述のようにクラッチのオン／オフを切り替える手間や時間が不要で、手間なく迅速にＭＦとＡＦとを切り替えることができるという利点がある。また、ＥＮＧレンズでＭＦを手動にした場合、ＡＦのときにはモータで駆動されるフォーカス操作リングから手を離しておく必要があるため、ＡＦからＭＦに切り替える際などでの操作の俊敏性が電気的ＭＦの場合よりも劣る。尚、手動でのＭＦを機構的ＭＦという。
【０００６】
しかしながら、カメラを架台に設置しないで使用する場合、パン／チルト棒に設置するタイプのフォーカス操作装置を使用することができない。また、カメラマンにとっては上記のようなフォーカス操作装置を用いた電気的ＭＦでのフォーカス操作よりも、レンズ鏡胴のフォーカス操作リングでのフォーカス操作の方が使い慣れている場合も多い。
【０００７】
一方、レンズ鏡胴のフォーカス操作リングを、フォーカスレンズとメカ的に連動しないものとし、フォーカス操作リングの回転位置を電気的に検出してその位置に応じてフォーカスレンズをフォーカス操作リングを介さずにモータで駆動できるようにすることが考えられる。これによれば、電気的ＭＦとＡＦとを併用できると共に、カメラマンにとって使い慣れたレンズ鏡胴の操作リングでフォーカス操作を行うことができる。
【０００８】
しかしながら、そのようなＥＮＧレンズではＭＦのみを使用する場合でも電気的ＭＦでしかフォーカス操作することができない。プロのカメラマンの間では、操作方法が同じであっても操作に対するフォーカス動作の応答性の違い等から電気的ＭＦよりも機構的ＭＦの方が好まれており、ＭＦのみの使用の場合には機構的ＭＦを使用できるようにすることが望ましい。また、既に多くのカメラマンに使用されている機構的ＭＦのＥＮＧレンズにおいても電気的ＭＦとＡＦとを併用できるようにすることが望ましく、撮影レンズに改良を加えることなく、フォーカス操作装置によって電気的ＭＦとＡＦと併用できるようにすると共に、カメラマンにとって操作性のよいＭＦを行えるようにすることが望ましい。
【０００９】
本発明はこのような事情に鑑みてなされたもので、架台の使用時でなくても、また、既に使用されている撮影レンズであっても、フォーカス操作リングによる電気的ＭＦのフォーカス操作を可能にし、ＭＦとＡＦと併用する場合には、フォーカス操作リングによる電気的ＭＦとＡＦとの併用を可能することができるフォーカス操作装置を提供することを目的とする。
【課題を解決するための手段】
【００１０】
前記目的を達成するために、請求項１に記載のフォーカス操作装置は、撮影レンズのレンズ鏡胴に着脱可能に装着されると共に、前記撮影レンズのフォーカスレンズをモータで駆動する駆動装置に対して、前記フォーカスレンズの設定すべき目標位置を指示するフォーカス操作装置であって、前記撮影レンズのレンズ鏡胴の外周部に回動可能に配置されるフォーカス操作リングと、前記フォーカス操作リングの回動位置を検出する位置検出手段と、前記位置検出手段によって検出された回動位置に基づいて前記フォーカスレンズの目標位置を示す信号を前記駆動装置に出力する信号出力手段と、を備えたことを特徴としている。
【００１１】
本発明によれば、本発明に係るフォーカス操作装置をレンズ鏡胴に装着することによってフォーカス操作リングによる電気的ＭＦのフォーカス操作が可能となる。従って、架台を使用しない場合であっても、また、既に使用されている撮影レンズであってもカメラマンが使い慣れているフォーカス操作リングの操作により電気的ＭＦのフォーカス操作が可能になる。ＭＦとＡＦとを併用する場合にはクラッチの切替えが不要となり、手間なく迅速にＭＦとＡＦの切替えが可能となる。
【００１２】
また、請求項２に記載のフォーカス操作装置は、請求項１に記載の発明において、前記駆動装置は、前記フォーカスレンズを合焦位置に自動で設定するオートフォーカス手段を備え、前記フォーカス操作装置は、前記信号出力手段により出力した信号で示した目標位置に前記フォーカスレンズを設定するマニュアルフォーカスの制御から、前記オートフォーカス手段により合焦位置に自動で前記フォーカスレンズを設定するオートフォーカスの制御への切替えを前記駆動装置に指示する指示手段を備えたことを特徴としている。本発明は、フォーカス操作装置にＭＦからＡＦへの切替えを指示する指示手段を備えた態様である。
【００１３】
また、請求項３に記載のフォーカス操作装置は、請求項２に記載の発明において、前記駆動装置は、前記オートフォーカス手段によるオートフォーカスの制御において前記フォーカスレンズを合焦位置に設定すると、前記マニュアルフォーカスの制御に切り替えることを特徴としている。本発明は、ＡＦからＭＦへの切替えが自動で行われる態様である。
【発明の効果】
【００１４】
本発明に係るフォーカス操作装置によれば、本レンズ操作装置をレンズ鏡胴に装着することによってレンズ鏡胴のフォーカス操作リングを操作するのと同様にして電気的ＭＦのフォーカス操作を行うことができるようになる。従って，架台を使用しない場合であっても、また、既に使用されている撮影レンズであってもカメラマンが使い慣れているフォーカス操作リングの操作により電気的ＭＦでのフォーカス操作が可能となる。ＭＦとＡＦと併用する場合には、本レンズ操作装置によってＡＦと併用する場合に有利な電気的ＭＦでのフォーカス操作が可能となり、手間なく迅速にＭＦとＡＦの切替えが可能となる。
【発明を実施するための最良の形態】
【００１５】
以下、添付図面に従って本発明に係るフォーカス操作装置の好ましい実施の形態について詳説する。
【００１６】
図１は、本発明に係るフォーカス操作装置を用いたテレビ放送用のカメラシステムの全体構成を示した概略構成図である。同図に示すカメラシステムには、カメラ本体１０、撮影レンズ（ＥＮＧレンズ）１２、ドライブユニット１４、各種操作装置１６、１８、２０等が示されている。ＥＮＧレンズ１２は、カメラ本体１０にマウントによって装着されており、ＥＮＧレンズ１２によって結像された被写体像は、カメラ本体１０のＣＣＤ等の撮像素子によって光電変換された後、所要の信号処理が施されて所定形式の映像信号に成形される。
【００１７】
ドライブユニット１４はＥＮＧレンズ１２のレンズ鏡胴の側部に装着されており、詳細を後述するようにドライブユニット１４に搭載されたモータによりＥＮＧレンズ１２のフォーカス（フォーカスレンズ）、ズーム（ズームレンズ）、アイリスが電動で駆動できるようになっている。このドライブユニット１４には、カメラ本体１０と接続するケーブル２２が設けられており、そのコネクタがカメラ本体１０の所定のコネクタ２４に接続される。これによって、カメラ本体１０からドライブユニット１４にモータや回路等を駆動する電源が供給されると共に、オートアイリスの際のアイリスの位置等を指示する信号や、ＡＦ（オートフォーカス）のための映像信号などが与えられる。
【００１８】
また、ドライブユニット１４には、フォーカス操作装置を接続するフォーカス用コネクタ２６や、ズーム操作装置を接続するズーム用コネクタ２８が設けられており、同図のシステムでは、フォーカス用コネクタ２６には本発明に係るフォーカス操作装置１６（同図斜線部）がケーブル３０を介して接続され、ズーム用コネクタ２８には、ズームデマンドと呼ばれる一般的なズーム操作装置１８がケーブル３２を介して接続されている。これにより、フォーカス操作装置１６からドライブユニット１４には、フォーカス操作装置１６でのフォーカス操作に応じたフォーカス操作信号等が与えられ、ズーム操作装置１８からドライブユニット１４にはズーム操作装置１８でのズーム操作に応じたズーム操作信号等が与えられる。
【００１９】
尚、ズーム操作は通常ドライブユニット１４に配設されたズーム操作部材によって操作することが可能であるため、必ずしもズーム操作装置１８をドライブユニット１４に接続しなくても電動でズーム操作を行うことが可能である。また、その場合、カメラを架台に設置して使用しない状態で使用することもできる。また、ドライブユニット１４のフォーカス用コネクタ２６には、フォーカスデマンドと呼ばれる一般的なフォーカス操作装置２０を接続することも可能であり、本発明に係るフォーカス操作装置１６は、その一般的なフォーカス操作装置２０の代わりにフォーカス用コネクタ２６に接続されている。
【００２０】
図２は、上記ＥＮＧレンズ１２、ドライブユニット１４、フォーカス操作装置１６の外観構成を示した上面図である。同図に示すＥＮＧレンズ１２のレンズ鏡胴の外周部には、前側からフォーカス操作リング４０、ズーム操作リング４２、アイリス操作リング４４が回動可能に設けられ、各操作リング４０、４２、４４には、レンズ鏡胴内のフォーカスレンズ（群）、ズームレンズ（群）、アイリスがメカ的に連結されている。フォーカス操作リング４０が回動すると、これに連動してフォーカスレンズ（群）が光軸方向に前後動し、ズーム操作リング４２が回動すると、これに連動してズームレンズ（群）が光軸方向に前後動し、アイリス操作リング４４が回動すると、これに連動してアイリスが開閉動作するようになっている。
【００２１】
レンズ鏡胴の側部にはドライブユニット１４がネジ４６、４６により固定されており、ドライブユニット１４のケース内には、各操作リング４０、４２、４４のギア部４０Ａ、４２Ａ、４４Ａにそれぞれクラッチを介して連結されるモータが搭載されている。各クラッチはドライブユニット１４における所定の操作でオン／オフ（接続状態をオン、切離し状態をオフとする）が切り替えられるようになっており、クラッチがオンのときにモータが駆動されると、そのモータに連結された操作リングがモータの動力によって回動する。クラッチがオフのときには各操作リングを手動で動かすことができる。
【００２２】
レンズ鏡胴の前側の外周部には、本発明に係るフォーカス操作装置１６が例えばネジ４８により固定されている。図３（Ａ）、（Ｂ）はそれぞれフォーカス操作装置１６をレンズ鏡胴から取り外した状態での正面図と上面図を示す。これらの図に示すようにフォーカス操作装置１６は、レンズ鏡胴の外周に嵌合する固定筒５０を備え、その固定筒５０の外周部にフォーカス操作リング５２が回動可能に設けられている。尚、フォーカス操作リング５２は、例えば、固定筒５０の外周部に設けられた周方向の溝にフォーカス操作リング５２の内周部に形成されたピンが係合することによって、固定筒５０に対して前後方向の移動が規制されて周方向の回動のみが可能となっているが、これに限らずどのような構成であってもよい。
【００２３】
また、固定筒５０の後側には、ＡＦスタートスイッチ５４が配設された連結部５６が一体的に設けられており、さらにその連結部５６にケースで覆われた検出部５８が設置されている。検出部５８のケース内には、フォーカス操作リング５２にギア９２Ａを介して係合してフォーカス操作リング５２の回転量に応じたパルス信号を出力するエンコーダ（例えばロータリーエンコーダ）９２や、所要の回路が搭載されている。また、検出部５８のケースにはモードスイッチ６２が配設されている。尚、フォーカス操作リング５２及びエンコーダ９２は、無端であり、一方向に回転させ続けることができるようになっている。
【００２４】
フォーカス操作装置１６を図２のようにレンズ鏡胴に取り付ける場合には、フォーカス操作装置１６の固定筒５０をレンズ鏡胴の前側からはめ込み、固定筒５０がレンズ鏡胴のフォーカス操作リング４０に接触しない位置で検出部５８を貫通する所定のネジ穴からネジ４８をねじ込む。これによって、ネジ４８の先端部がレンズ鏡胴に当接してフォーカス操作装置１６がレンズ鏡胴に固定される。尚、フォーカス操作装置１６を装着した状態であってもレンズ鏡胴のフォーカス操作リング４０は回動可能な状態にある。また、フォーカス操作装置１６をレンズ鏡胴に固定する方法は上述の方法以外であってもよい。例えば、フォーカス操作装置１６の固定筒５０がレンズ鏡胴に隙間なく嵌合することによってネジなどを使用しなくてもフォーカス操作装置１６をレンズ鏡胴に装着できるようにしてもよい。
【００２５】
図４は、上記ドライブユニット１４及びフォーカス操作装置１６でのフォーカス制御に関する構成を示したブロック図である。まず、ドライブユニット１４の構成及び処理について説明する。同図に示すようにドライブユニット１４には、ＣＰＵ７０、ドライバ７２、モータ７４、クラッチ７６、位置センサ７８、ＡＦ回路８０等が搭載されている。
【００２６】
モータ７４は、クラッチ７６を介してレンズ鏡胴のフォーカス操作リング４０に連結されており、クラッチ７６は、ドライブユニット１４の所定の操作部材を操作することによってオン／オフが切り替えられるようになっている。クラッチ７６をオフ（切離し状態）にすると、フォーカス操作リング４０を直接手で回動操作してフォーカスレンズＦＬの位置等を調整することができる。即ち、クラッチ７６をオフにすることによって手動でのマニュアルフォーカス（機構的ＭＦ）が可能となる。
【００２７】
一方、本実施の形態のドライブユニット１４ではオートフォーカス（ＡＦ）によるフォーカス制御を実行させることも可能であり、その場合にはクラッチ７６をオン（接続状態）に設定し、フォーカス操作リング４０及びフォーカスレンズＦＬを電動（モータ）で回動操作できるようにする必要がある。また、本実施の形態のようにドライブユニット１４のフォーカス用コネクタ２６にフォーカス操作装置１６を接続して電動でのＭＦ（電気的ＭＦ）を行いたい場合や電気的ＭＦとＡＦとを併用したい場合等にもクラッチ７６はオンに設定される。
【００２８】
尚、クラッチ７６のオン／オフを手動ではなく電気的な制御で切り替えられるようにすることは可能であり、その場合に、フォーカス操作装置１６のケーブル２２がドライブユニット１４のフォーカス用コネクタ２６に接続されたことを検出すると自動的にクラッチ７６をオンにし、フォーカス操作装置１６のケーブル２２がドライブユニット１４のフォーカス用コエクタ２６から取り外されたことを検出すると自動的にクラッチ７６がオフ（機構的ＭＦ）に切り替わるようにしてもよい。また、以下の説明では、クラッチ７６がオンに設定されているものとする。
【００２９】
電動でフォーカス操作リング４０を回動操作する場合には、ＣＰＵ７０の出力ポートからは、目標とするモータ７４の回転速度（方向及び速さ）を示す目標値が駆動信号としてドライバ７２に出力される。これにより、ドライバ７２によってその目標値に応じた大きさの駆動電力（電圧）がモータ７４に供給され、モータ７４が目標の回転速度で駆動される。クラッチ７６がオンされている場合には、モータ７４の回転力によってフォーカス操作リング４０が回転し、フォーカスレンズＦＬが光軸方向にモータ７４の回転速度に対応した速度で移動する。
【００３０】
また、ＣＰＵ７０には、フォーカスレンズＦＬの現在位置を示す値の位置信号が位置センサ７８から与えられている。フォーカスレンズＦＬを所定の目標位置に設定する場合には、ＣＰＵ７０はその目標位置を示す値と位置センサから得られる現在位置の値との差に応じた値（例えば差に比例した値）をモータ７４の回転速度の目標値としてドライバ７２に出力する。フォーカスレンズＦＬが目標位置と異なる位置にある場合には、この処理によってフォーカスレンズＦＬが目標位置に近づく方向に移動し、目標位置に到達するとその位置でフォーカスレンズＦＬが停止する。これによってＣＰＵ７０の制御によってフォーカスレンズを所望の目標位置に設定することもできるようになっている。
【００３１】
ＣＰＵ７０は、ＡＦの処理を実行する場合、ＡＦ回路８０からの焦点評価値に基づいてフォーカスレンズＦＬを移動させて合焦となる位置にフォーカスレンズＦＬを設定する。ＡＦ回路８０はコントラスト方式のＡＦに用いられる公知のものでその構成、処理について簡単に説明すると、同図に示すようにＡＦ回路８０はＡ／Ｄ変換器８２、ハイパスフィルター（ＨＰＦ）８４、ゲート回路８６、加算回路８８から構成されている。ドライブユニット１４にはカメラ本体１０で生成された映像信号がカメラ接続用のケーブルを介してカメラ本体１０から与えられるようになっており、その映像信号がまずＡＦ回路８０のＡ／Ｄ変換器８２によってデジタル信号に変換される。続いて、ＨＰＦ８４によって高域周波数成分の信号のみが抽出される。そして、ゲート回路８６によってＡＦの対象範囲（例えば画面の中央の一部）の映像信号が抽出された後、１画面分（ＮＴＳＣ方式の場合には１フィールド）の範囲ごとにゲート回路で抽出された映像信号が加算回路８８によって加算される。加算回路８８によって加算されて得られた値が焦点評価値としてＣＰＵ７０に与えられる。
【００３２】
焦点評価値は被写体の画像のコントラストの高さを示しており、ＣＰＵ７０は、例えば、ＡＦ回路８０から上述のように取得される焦点評価値が増加する方向にモータ７４を駆動してフォーカスレンズＦＬを移動させて行き、焦点評価値が最大（極大）となるところ、即ち、焦点評価値が減少し始めるところを検出すると、その位置にフォーカスレンズＦＬを設定する。これによって合焦の状態に設定される。
【００３３】
一方、ＣＰＵ７０は、フォーカス用コネクタ２６に接続されたフォーカス操作装置１６と、シリアルコミュニケーションインターフェース（ＳＣＩ）の機能により通信を行うことができ、ＭＦ（電気的ＭＦ）の処理を実行する場合には、その通信によりフォーカス操作装置１６からフォーカス操作信号として与えられるフォーカスレンズＦＬの目標位置を示す目標値に基づいてモータ７４を駆動し、フォーカスレンズＦＬをその目標位置に移動させる。これによって、フォーカス操作装置１６でのフォーカス操作リング５２の操作によりフォーカスレンズＦＬを所望の位置に設定することができるようになっている。
【００３４】
続いて、フォーカス操作装置１６の構成及び処理について説明すると、同図に示すようにフォーカス操作装置１６には、ＣＰＵ９０、フォーカス操作リング５２、エンコーダ９２、ＡＦスタートスイッチ５４、モードスイッチ６２等が配置される。エンコーダ９２はフォーカス操作リング５２に連結されており、例えば、フォーカス操作リング５２が所定量回転するごとに位相の異なる２層のパルス信号がエンコーダ９２からＣＰＵ９０に与えられるようになっている。
【００３５】
モードスイッチ６２は、後述するＭＦモード、連続ＡＦモード、ワンショットＡＦモードのうち所望のモードをユーザが選択するためのスイッチであり、これらのモードに対応した３つの位置で切り替えられるようになっている。ＡＦスタートスイッチ５４は、ワンショットＡＦモードが選択された場合に、ワンショットＡＦの実行を指示する際にオンされる。
【００３６】
ＣＰＵ９０は、モードスイッチ６２やＡＦスタートスイッチ５４の状態を検出しており、モードスイッチ６２で選択されたモード情報や、ＡＦスタートスイッチ５４のオン／オフ情報をＳＣＩによりドライブユニット１４のＣＰＵ７０に送信し、これらの情報に応じた処理を実行させる。
【００３７】
また、ＣＰＵ９０は、エンコーダ９２から与えられるパルス信号に基づいてフォーカス操作リング５２の回転量（回転方向及び大きさの情報を含む）を検出することにより、フォーカス操作リング５２の回転位置に応じたフォーカスレンズＦＬの目標位置を定め、その目標位置を示す値をＳＣＩによりドライブユニット１４のＣＰＵ７０に送信する。
【００３８】
続いて、フォーカス操作装置１６での操作に基づくシステム全体としての処理について説明する。フォーカス操作装置１６のモードスイッチ６２がＭＦモードに設定された場合、ＭＦモードに設定されたことを示すモード情報がフォーカス操作装置１６のＣＰＵ９０からドライブユニット１４のＣＰＵ７０に送信される。ＣＰＵ７０は、そのモード情報を取得するとフォーカス操作装置１６から与えられるフォーカス操作信号に基づく上記ＭＦ（電気的ＭＦ）の処理を開始する。
【００３９】
フォーカス操作装置１６のＣＰＵ９０は、ＭＦの処理が開始される際に、フォーカスレンズＦＬの現在位置を示す値をドライブユニット１４のＣＰＵ７０から取得し、その現在位置を基準にしてエンコード９２から得られるフォーカス操作リング５２の回転量に相当する変位量分だけフォーカスレンズＦＬを移動させた位置を目標位置に設定する。そして、その目標位置を示す値をフォーカス操作信号としてドライブユニット１４のＣＰＵ７０に送信する。ドライブユニット７０は、フォーカスレンズＦＬがフォーカス操作装置１６のＣＰＵ９０から送信された目標位置となるようにモータ７４を駆動する。これにより、フォーカスレンズＦＬがフォーカス操作リング５２の操作に連動して移動する。
【００４０】
フォーカス操作装置１６のモードスイッチ６２が、連続ＡＦモードに設定された場合、連続ＡＦモードに設定されたことを示すモード情報がフォーカス操作装置１６のＣＰＵ９０からドライブユニット１４のＣＰＵ７０に送信される。ＣＰＵ７０は、そのモード情報を取得するとＡＦ回路８０から取得される焦点評価値に基づいて上記ＡＦの処理を開始する。ここで、連続ＡＦは、後述のワンショットＡＦとは異なり、連続ＡＦモードの間でＡＦが継続して実行され、フォーカスレンズＦＬが合焦位置に一旦設定された後でも、合焦位置が変化すればそれに従ってフォーカスレンズＦＬも新たな合焦位置に移動する。即ち、ＣＰＵ７０は、連続ＡＦモードの間、ＡＦの処理を継続して実行する。尚、連続ＡＦモードにおいて、ＡＦスタートスイッチ５４がオンされると連続ＡＦの処理を開始し、ＡＦスタートスイッチ５４がもう一度オンされると連続ＡＦの処理が停止しＭＦの処理に切り替わるようにしてもよい。また、連続ＡＦの処理中にフォーカス操作リング５２の操作が行われた場合には、ＭＦの処理に切り替わり、ＡＦスタートスイッチ５４がオンされると連続ＡＦの処理が開始されるようにしてもよい。
【００４１】
フォーカス操作装置１６のモードスイッチ６２が、ワンショットＡＦモードに設定された場合、ワンショットＡＦモードに設定されたことを示すモード情報がフォーカス操作装置１６のＣＰＵ９０からドライブユニット１４のＣＰＵ７０に送信される。ＣＰＵ７０は、そのモード情報を取得すると、ＡＦスタートスイッチ５４がオンされたことを示すオン／オフ情報が送信されるのを待機する。また、ＡＦスタートスイッチがオンされない間は、ＭＦの処理を実行する。
【００４２】
フォーカス操作装置１６のＣＰＵ９０は、モードスイッチがワンショットＡＦモードに設定された場合に、ＡＦスタートスイッチがオンされない間は上記ＭＦモード時と同様に、ＭＦの処理が開始される際のフォーカスレンズＦＬの現在位置を基準にして、エンコーダ９２から得られるフォーカス操作リング５２の回転量に相当する変位量分だけフォーカスレンズＦＬを移動させた位置を目標位置に設定する。そして、その目標位置を示す値をフォーカス操作信号としてドライブユニット１４のＣＰＵ７０に送信する。これにより、フォーカスレンズＦＬがフォーカス操作リング５２の操作に連動して移動する。
【００４３】
一方、ＭＦの処理中にＡＦスタートスイッチ５４がオンされ、そのことを示すオン／オフ情報がドライブユニット１４のＣＰＵ７０に送信されると、ＣＰＵ７０は、ＡＦ回路８０から取得される焦点評価値に基づいて上記ＡＦの処理を実行する。ここで、ワンショットＡＦモードの場合には、フォーカスレンズＦＬが合焦位置に一度設定されると、ＡＦの処理が終了し、ＭＦの処理に復帰する。ただし、ＡＦの処理が終了した時点でＡＦスタートスイッチ５４がオンされていれば、そのことを示す情報がＣＰＵ７０に与えられ、継続してＡＦの処理が行われる。従って、ワンショットＡＦモードはＡＦスタートスイッチ５４をオンしている間ＡＦが実行されるモードとも解釈できる。
【００４４】
ＡＦの処理が停止し、ＭＦの処理が再開された場合、フォーカス操作装置１６のＣＰＵ９０は、そのときのフォーカスレンズＦＬの現在位置を示す値をドライブユニット１４から取得し、その現在位置を基準にしてその後に操作によって生じたフォーカス操作リング５２の回転量に相当する変位量分だけ移動させた位置を目標位置とし、その値をドライブユニット１４のＣＰＵ７０に送信する。これにより、ＡＦの停止後、ＭＦに移行してもフォーカス操作リング５２を回動操作しない限りフォーカスレンズＦＬが移動せず、その後のフォーカス操作リング５２の操作に応じてフォーカスレンズＦＬが移動する。
【００４５】
尚、ＡＦの処理中にフォーカス操作リング５２の操作が行われた場合にはＭＦの処理に切り替わるようにしてもよい。
【図面の簡単な説明】
【００４６】
【図１】図１は、本発明に係るフォーカス操作装置を用いたテレビ放送用のカメラシステムの全体構成を示した概略構成図である。
【図２】図２は、ＥＮＧレンズ、ドライブユニット、フォーカス操作装置の外観構成を示した上面図である。
【図３】図３（Ａ）、（Ｂ）は、本発明に係るフォーカス操作装置の正面図及び上面図である。
【図４】図４は、ドライブユニット及びフォーカス操作装置でのフォーカス制御に関する構成を示したブロック図である。
【符号の説明】
【００４７】
１０…カメラ本体、１２…撮影レンズ（ＥＮＧレンズ）、１４…ドライブユニット、１６、２０…フォーカス操作装置、１８…ズーム操作装置（ズームデマンド）、４０…フォーカス操作リング、５０…固定筒、５２…フォーカス操作リング、５４…ＡＦスタートスイッチ、５８…検出部、６２…モードスイッチ、７０、９０…ＣＰＵ、７２…ドライバ、７４…モータ、７６…クラッチ、７８…位置センサ、８０…ＡＦ回路、９２…エンコーダ、ＦＬ…フォーカスレンズ
【図１】
2005250277.tif 000003
【図２】
2005250277.tif 000004
【図３】
2005250277.tif 000005
【図４】
2005250277.tif 000006